(57)【要約】【課題】オペレータ毎の個別設定のためにＵＥに予め格納するデータ量を削減する。【解決手段】ＵＥは、コンテンツにアクセスするために使用するアクセス情報を格納する格納手段と、使用する移動通信ネットワークを特定する特定手段と、前記特定手段が特定した移動通信ネットワークに対して取得処理を行う取得手段と、を備えており、前記取得手段は、前記取得処理において、前記特定手段が特定した移動通信ネットワークに対して前記アクセス情報に基づきアドレスを要求し、前記特定手段が特定した移動通信ネットワークから前記アドレスを取得すると、当該アドレス及び前記アクセス情報に基づき、前記特定手段が特定した移動通信ネットワークに関連付けられた前記コンテンツを取得することを試み、前記格納手段が格納する前記アクセス情報は、複数の移動通信ネットワークに対して共通して使用できることを特徴とする。【選択図】図３
2019134355.tif 000002
【特許請求の範囲】
【請求項１】
コンテンツにアクセスするために使用するアクセス情報を格納する格納手段と、
使用する移動通信ネットワークを特定する特定手段と、
前記特定手段が特定した移動通信ネットワークに対して取得処理を行う取得手段と、
を備えており、
前記取得手段は、前記取得処理において、前記特定手段が特定した移動通信ネットワークに対して前記アクセス情報に基づきアドレスを要求し、前記特定手段が特定した移動通信ネットワークから前記アドレスを取得すると、当該アドレス及び前記アクセス情報に基づき、前記特定手段が特定した移動通信ネットワークに関連付けられた前記コンテンツを取得することを試み、
前記格納手段が格納する前記アクセス情報は、複数の移動通信ネットワークに対して共通して使用できることを特徴とする移動通信装置。
【請求項２】
前記特定手段が特定した移動通信ネットワークが変更されると、前記取得手段は、変更前の移動通信ネットワークに関連付けられた前記コンテンツを削除することを特徴とする請求項１に記載の移動通信装置。
【請求項３】
前記取得手段は、前記特定手段が特定した移動通信ネットワークが変更されると、変更後の移動通信ネットワークに関連付けられた前記コンテンツを保持しているかを判定し、変更後の移動通信ネットワークに関連付けられた前記コンテンツを保持していないと、変更後の移動通信ネットワークに対して前記取得処理を行うことを特徴とする請求項１に記載の移動通信装置。
【請求項４】
前記取得手段は、前記特定手段が特定した移動通信ネットワークが変更された後、所定期間が経過すると、変更前の移動通信ネットワークに関連付けられた前記コンテンツを削除することを特徴とする請求項３に記載の移動通信装置。
【請求項５】
前記取得手段は、所定数の移動通信ネットワークに関連付けられた前記コンテンツを保持する様に構成され、
前記取得手段は、前記所定数の移動通信ネットワークに関連付けられた前記コンテンツを保持しているときに、前記特定手段が特定した移動通信ネットワークが前記所定数の移動通信ネットワークとは異なる移動通信ネットワークに変更されると、前記所定数の移動通信ネットワークのいずれかの移動通信ネットワークに関連付けられた前記コンテンツを削除することを特徴とする請求項３に記載の移動通信装置。
【請求項６】
前記格納手段は、１つ以上の第１アクセス情報を格納し、
前記取得手段は、前記特定手段が特定した移動通信ネットワークに関連付けられた前記コンテンツを保持していない場合、前記１つ以上の第１アクセス情報それぞれを用いて前記特定手段が特定した移動通信ネットワークに対して前記取得処理を行うことを特徴とする請求項１から５のいずれか１項に記載の移動通信装置。
【請求項７】
前記格納手段は、前記移動通信装置に対するユーザ操作に対応付けられる１つ以上の第２アクセス情報を格納し、
前記取得手段は、前記移動通信装置に対するユーザ操作に応答して、当該ユーザ操作に対応付けられる第２アクセス情報を用いて前記特定手段が特定した移動通信ネットワークに対して前記取得処理を行うことを特徴とする請求項１から６のいずれか１項に記載の移動通信装置。
【請求項８】
前記格納手段は、複数のアクセス情報を格納し、
前記取得手段は、前記複数のアクセス情報のうちの第１アクセス情報を使用して前記特定手段が特定した移動通信ネットワークに対する前記取得処理を行った際にエラーメッセージをインターネット上のサーバから受信すると、前記第１アクセス情報を無効にし、
前記取得手段は、前記第１アクセス情報を無効にしているときに前記特定手段が特定した移動通信ネットワークが変更されると、前記第１アクセス情報の無効を解除することを特徴とする請求項１から５のいずれか１項に記載の移動通信装置。
【請求項９】
前記格納手段は、複数のアクセス情報を格納し、
前記取得手段は、前記複数のアクセス情報のうちの第１アクセス情報を用いて前記特定手段が特定した移動通信ネットワークに対する前記取得処理を行って、前記複数のアクセス情報のうちの前記第１アクセス情報とは異なるアクセス情報それぞれの利用可否を判定することを特徴とする請求項１から５のいずれか１項に記載の移動通信装置。
【請求項１０】
前記アクセス情報は、ユニバーサルリソースロケータであることを特徴とする請求項１から９のいずれか１項に記載の移動通信装置。
【請求項１１】
前記特定手段が特定した移動通信ネットワークに関連付けられた前記コンテンツは、前記特定手段が特定した移動通信ネットワークが提供するアプリケーション、前記特定手段が特定した移動通信ネットワークが提供するサービスにアクセスするためのショートカットアイコン、前記特定手段が特定した移動通信ネットワークが提供するアプリケーションを取得するための情報、前記特定手段が特定した移動通信ネットワークが提供するサービスにアクセスするためのショートカットアイコンを取得するための情報、又は、前記特定手段が特定した移動通信ネットワークが提供するサービスにアクセスするための情報を含むことを特徴とする請求項１から１０のいずれか１項に記載の移動通信装置。
【請求項１２】
移動通信装置の１つ以上のプロセッサで実行されると、前記移動通信装置を請求項１から１１のいずれか１項に記載の移動通信装置として動作させることを特徴とするプログラム。
【請求項１３】
少なくとも第１移動通信ネットワークと第２移動通信ネットワークと、を含む通信システムであって、
前記第１移動通信ネットワークは、第１名前解決サーバを備え、
前記第２移動通信ネットワークは、第２名前解決サーバを備え、
前記第１名前解決サーバと前記第２名前解決サーバは、移動通信装置から受信する所定のドメイン名に対する名前解決要求に対して異なるサーバを示すアドレスを返す様に構成されていることを特徴とする通信システム。
【請求項１４】
少なくとも第１移動通信ネットワークと第２移動通信ネットワークと、を含む通信システムであって、
前記第１移動通信ネットワークは、第１名前解決サーバを備え、
前記第２移動通信ネットワークは、第２名前解決サーバを備え、
前記第１名前解決サーバは、複数のドメイン名のうちの１つ以上の第１ドメイン名に対する名前解決要求に対して対応するアドレスを返し、前記複数のドメイン名のうちの前記１つ以上の第１ドメイン名とは異なるドメイン名に対する名前解決要求に対してはアドレスを返さない、或いは、インターネット上のエラーサーバのアドレスを返す様に構成され、
前記第２名前解決サーバは、前記複数のドメイン名のうちの１つ以上の第２ドメイン名に対する名前解決要求に対して対応するアドレスを返し、前記複数のドメイン名のうちの前記１つ以上の第２ドメイン名とは異なるドメイン名に対する名前解決要求に対してはアドレスを返さない、或いは、インターネット上の前記エラーサーバのアドレスを返す様に構成され、
前記１つ以上の第１ドメイン名と前記１つ以上の第２ドメイン名で共通する第３ドメイン名に対する名前解決要求に対して前記第１名前解決サーバが返すアドレスに対応するサーバと、前記第２名前解決サーバが返すアドレスに対応するサーバは異なることを特徴とする通信システム。
【請求項１５】
前記複数のドメイン名のそれぞれは、複数のユニバーサルリソースロケータに含まれるドメイン名であり、
前記１つ以上の第１ドメイン名は、前記複数のユニバーサルリソースロケータのうちの第１ユニバーサルリソースロケータに含まれるドメイン名であり、
前記１つ以上の第２ドメイン名は、前記複数のユニバーサルリソースロケータのうちの第２ユニバーサルリソースロケータに含まれるドメイン名であり、
前記第１移動通信ネットワークは、前記複数のユニバーサルリソースロケータのうちの前記第１ユニバーサルリソースロケータを特定するための第１情報を保持する第１サーバを有し、
前記第２移動通信ネットワークは、前記複数のユニバーサルリソースロケータのうちの前記第２ユニバーサルリソースロケータを特定するための第２情報を保持する第２サーバを有し、
前記第１名前解決サーバは、前記複数のドメイン名のうちの第４ドメイン名に対する名前解決要求に対して前記第１サーバのアドレスを返し、
前記第２名前解決サーバは、前記第４ドメイン名に対する名前解決要求に対して前記第２サーバのアドレスを返すことを特徴とする請求項１３に記載の通信システム。
【発明の詳細な説明】
【技術分野】
【０００１】
本発明は、移動通信装置に予め格納するデータ量を削減する技術に関する。
【背景技術】
【０００２】
スマートフォン、タブレット等、移動通信ネットワークに接続して通信する移動通信装置（ＵＥ）は、加入者識別モジュール（ＳＩＭ）カードを装着する様に構成される。ＵＥは、挿入されたＳＩＭカードに基づき契約しているオペレータを判定し、当該オペレータに対応する移動通信ネットワークを介して通信サービスの提供を受ける。現在、ＵＥとしては、特定のオペレータのＳＩＭカードのみが使用できる、所謂、ＳＩＭロックされたＵＥと、任意のオペレータのＳＩＭカードが使用できる、所謂、ＳＩＭフリーのＵＥが存在する。
【０００３】
ＳＩＭロックされたＵＥは、使用できるオペレータが決まっているため、その出荷時に当該オペレータ独自のアプリケーションや、当該オペレータが提供するあるサービスにアクセスするためのショートカットアイコン等をプリインストールすることができる。なお、ショートカットアイコンとは、特定のＵＲＬ（ユニバーサルリソースロケータ）に関連付けられており、ＵＥのディスプレイに表示されたショートカットアイコンをタップすると、例えば、ブラウザが起動され、当該ブラウザは、当該特定のＵＲＬを使用して取得したコンテンツの表示等を行う。
【０００４】
一方、ＳＩＭフリーのＵＥにおいては、オペレータ毎の個別設定が、ＵＥの記憶部に格納されて出荷される（非特許文献１及び２参照）。個別設定の例は、ＵＥにインストールすべきアプリケーションが格納されたサーバにアクセスし、これらアプリケーションを取得するためのＵＲＬ、ショートカットアイコンが格納されているサーバにアクセスし、これらショートカットアイコンを取得するためのＵＲＬ等である。なお、これら、ＵＲＬは、オペレータ毎に異なる。ＵＥにＳＩＭカードが挿入され、接続する（契約している）オペレータを特定できるようになると、ＵＥは、特定したオペレータの個別設定を使用し、必要に応じて初期設定等を行う。具体的には、例えば、契約しているオペレータの個別設定として記憶部に格納されているＵＲＬに基づきアプリケーション及びショートカットアイコンをダウンロードする。
【先行技術文献】
【特許文献】
【０００５】
【特許文献１】［平成２９年１２月２７日検索］、インターネット＜ＵＲＬ：ｈｔｔｐ：//ｗｗｗ.ａｎｄｒｏｉｄｐｏｌｉｃｅ.ｃｏｍ/２０１４/１０/２８/ａｎｄｒｏｉｄ-５-０-ｌｏｌｌｉｐｏｐ-ｆｅａｔｕｒｅ-ｓｐｏｔｌｉｇｈｔ-ｃａｒｒｉｅｒｓ-ｃａｎ-ｎｏｗ-ｈａｖｅ-ｇｏｏｇｌｅ-ｐｌａｙ-ｉｎｓｔａｌｌ-ｔｈｅｉｒ-ｃｒａｐｗａｒｅ-ａｕｔｏｍａｔｉｃａｌｌｙ-ｗｈｉｃｈ-ｉｓ-ｇｏｏｄ-ｍａｙｂｅ/＞
【特許文献２】［平成２９年１２月２７日検索］、インターネット＜ＵＲＬ：ｈｔｔｐｓ：//ｓｏｕｒｃｅ.ａｎｄｒｏｉｄ.ｃｏｍ/ｄｅｖｉｃｅｓ/ｔｅｃｈ/ｃｏｎｆｉｇ/ｃａｒｒｉｅｒ＞
【発明の概要】
【発明が解決しようとする課題】
【０００６】
このため、ＳＩＭフリーのＵＥ（以下、単に、ＵＥと表記する）を製造するメーカは、多数のオペレータそれぞれの個別設定を各オペレータから入手し、ＵＥに格納して出荷する必要がある。これは、非常に手間のかかる作業である。また、多数のオペレータそれぞれの個別設定を記憶部に格納するため記憶部の容量を圧迫する。
【０００７】
本発明は、オペレータ毎の個別設定のためにＵＥに予め格納するデータ量を削減できる技術を提供するものである。
【課題を解決するための手段】
【０００８】
本発明の一態様によると、移動通信装置は、コンテンツにアクセスするために使用するアクセス情報を格納する格納手段と、使用する移動通信ネットワークを特定する特定手段と、前記特定手段が特定した移動通信ネットワークに対して取得処理を行う取得手段と、
を備えており、前記取得手段は、前記取得処理において、前記特定手段が特定した移動通信ネットワークに対して前記アクセス情報に基づきアドレスを要求し、前記特定手段が特定した移動通信ネットワークから前記アドレスを取得すると、当該アドレス及び前記アクセス情報に基づき、前記特定手段が特定した移動通信ネットワークに関連付けられた前記コンテンツを取得することを試み、前記格納手段が格納する前記アクセス情報は、複数の移動通信ネットワークに対して共通して使用できることを特徴とする。
【発明の効果】
【０００９】
本発明によると、オペレータ毎の個別設定のためにＵＥに予め格納するデータ量を削減することができる。
【図面の簡単な説明】
【００１０】
【図１】一実施形態による通信システムの構成図。
【図２】一実施形態による共通ＵＲＬと、各オペレータのＤＮＳの設定内容を示す図。
【図３】一実施形態によるＵＥにおける処理を示す信号図。
【図４】一実施形態による通信システムの構成図。
【図５】一実施形態による共通ＵＲＬと、各オペレータのＤＮＳの設定内容を示す図。
【図６】一実施形態によるＵＥのディスプレイを示す図。
【図７】一実施形態によるＵＥにおける処理を示す信号図。
【図８】一実施形態によるＵＥにおける処理を示す信号図。
【図９】一実施形態による共通ＵＲＬと、各オペレータのＤＮＳの設定内容を示す図。
【図１０】一実施形態によるＵＥにおける処理を示す信号図。
【図１１】一実施形態によるＵＥの構成図。
【発明を実施するための形態】
【００１１】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１２】
＜第一実施形態＞
図１は、本実施形態による通信システムの構成図である。ＵＥには、例えば、図２（Ａ）に示すＵＲＬが、その記憶部に格納されて出荷される。以下では、図２（Ａ）に示す様な、予めＵＥに格納されるＵＥを共通ＵＲＬと呼ぶものとする。移動通信ネットワーク＃Ａと、移動通信ネットワーク＃Ｂと、移動通信ネットワーク＃Ｃは、異なるオペレータのネットワークである。以下では、移動通信ネットワーク＃Ａ、移動通信ネットワーク＃Ｂ及び移動通信ネットワーク＃Ｃのオペレータを、それぞれ、オペレータ＃Ａ、オペレータ＃Ｂ、オペレータ＃Ｃと、呼ぶものとする。なお、本実施形態において、オペレータ＃Ａ及びオペレータ＃Ｂは、共通ＵＲＬを使用するスキームに参加しているが、オペレータ＃Ｃは、共通ＵＲＬを使用するスキームに参加していないものとする。
【００１３】
図１に示す様に、スキームに参加しているオペレータ＃Ａの移動通信ネットワーク＃Ａは、ＤＮＳ（名前解決サーバ）＃Ａ及びサーバ＃Ａを有し、オペレータ＃Ｂの移動通信ネットワーク＃Ｂは、ＤＮＳ＃Ｂ及びサーバ＃Ｂを有している。図２（Ｂ）及び図２（Ｃ）は、それぞれ、ＤＮＳ＃Ａ及びＤＮＳ＃Ｂの設定内容を示している。図２（Ｂ）に示す様に、ＤＮＳ＃Ａは、共通ＵＲＬのドメイン名の部分、本例では、"ＷＷＷ．ＣＯＭＭＯＮ．ＣＯＭ"のアドレス問い合わせ（名前解決要求）に対して、サーバ＃ＡのＩＰアドレスを返す様に構成される。また、図２（Ｃ）に示す様に、ＤＮＳ＃Ｂは、共通ＵＲＬのドメイン名の部分のアドレス問い合わせに対して、サーバ＃ＢのＩＰアドレスを返す様に構成される。また、サーバ＃Ａには、オペレータ＃ＡのユーザのＵＥに対する個別設定が格納されている。同様に、サーバ＃Ｂには、オペレータ＃ＢのユーザのＵＥに対する個別設定が格納されている。
【００１４】
また、スキームに参加しているオペレータは、インターネットにエラーサーバを設置する。そして、スキームに参加しているオペレータは、例えば、インターネット上のＤＮＳで共通ＵＲＬのドメイン名が引かれた場合、当該エラーサーバのアドレスを返す様に、インターネット上のＤＮＳを構成しておく。なお、オペレータ＃Ｃの移動通信ネットワーク＃Ｃも、ＤＮＳを有するが、スキームに参加していないため、当該ＤＮＳには、"ＷＷＷ．ＣＯＭＭＯＮ．ＣＯＭ"に対するエントリはない。
【００１５】
図３は、本実施形態において、ＵＥにＳＩＭカードを装着した際にＵＥが実行する処理の信号図である。なお、図３において、Ｓ１０〜Ｓ１３の処理は、オペレータ＃Ａとの契約情報を有するＳＩＭカード（以下、オペレータ＃ＡのＳＩＭカードと表現する）をＵＥに装着した場合の処理であり、Ｓ２０〜Ｓ２３の処理は、オペレータ＃ＡのＳＩＭカードを抜いて、代わりに、オペレータ＃ＢのＳＩＭカードをＵＥに装着した場合の処理である。
【００１６】
オペレータ＃ＡのＳＩＭカードの装着により、ＵＥは、使用する移動通信ネットワークが移動通信ネットワーク＃Ａであることを判定する。よって、ＵＥは、移動通信ネットワーク＃Ａに接続する。ＵＥは、Ｓ１０で、共通ＵＲＬのドメイン名のＩＰアドレスを、移動通信ネットワーク＃ＡのＤＮＳ＃Ａに問い合わせる。ＤＮＳ＃Ａには、図２（Ｂ）に示す設定がなされているため、ＤＮＳ＃Ａは、Ｓ１１で、サーバ＃ＡのＩＰアドレスをＵＥに通知する。よって、ＵＥは、Ｓ１２で、ＵＲＬのドメイン名以外の部分、本例では、"ＳＥＴＵＰ"を含むメッセージをサーバ＃Ａに送信する。サーバ＃Ａは、Ｓ１２においてＵＥから受信したメッセージに応答して、Ｓ１３で、オペレータ＃Ａの個別設定をＵＥに送信する。個別設定は、例えば、ＵＥにインストールすべきアプリケーションを取得するためのＵＲＬ、ショートカットアイコンを取得するためのＵＲＬ、オペレータ＃Ａがそのユーザに提供する所定のサービスにアクセスするためのＵＲＬ等である。ＵＥは、これらＵＲＬに基づき必要なアプリケーションや、ショートカットアイコンを取得し、オペレータ＃Ａが提供するサービスにアクセスする。なお、サーバ＃Ａが、アプリケーションや、ショートカットアイコン等を送信する構成であっても良い。
【００１７】
続いて、ＵＥからオペレータ＃ＡのＳＩＭカードを抜き、代わりに、オペレータ＃ＢのＳＩＭカードをＵＥに装着すると、ＵＥは、Ｓ２０〜Ｓ２３の処理によりオペレータ＃Ｂの個別設定を取得する。ＵＥは、Ｓ２０で、共通ＵＲＬのドメイン名のＩＰアドレスを、移動通信ネットワーク＃ＢのＤＮＳ＃Ｂに問い合わせる。ＤＮＳ＃Ｂには、図２（Ｃ）に示す設定がなされているため、ＤＮＳ＃Ｂは、Ｓ２１で、サーバ＃ＢのＩＰアドレスをＵＥに通知する。よって、ＵＥは、Ｓ２２で、ＵＲＬのドメイン名以外の部分、本例では、"ＳＥＴＵＰ"を含むメッセージをサーバ＃Ｂに送信し、サーバ＃Ｂは、Ｓ２３で、オペレータ＃Ｂの個別設定をＵＥに送信する。このとき、ＵＥは、オペレータ＃Ａの個別設定を削除する構成とすることができる。オペレータ＃Ａの個別設定の削除とは、オペレータ＃ＡからＳ１３で取得したＵＲＬを削除することと、当該ＵＲＬに基づき取得したアプリケーションやショートカットアイコンの削除を含み得る。
【００１８】
なお、ＵＥのユーザが、オペレータ＃Ａとオペレータ＃Ｂとを必要に応じて使い分けていることを考慮し、過去所定数のオペレータの個別設定については保持しておく構成とすることもできる。この場合、ＵＥは、ＳＩＭカードが差し替えられると、新たに挿入されたＳＩＭカードのオペレータの個別設定を保持しているかを判定する。例えば、再度、オペレータ＃ＡのＳＩＭカードが装着された際に、過去に取得したオペレータ＃Ａの個別設定を保持していると、ＵＥは、Ｓ１０〜Ｓ１３の処理を行わない。また、過去所定数のオペレータの個別設定を保持している状態において、個別設定を保持していないオペレータのＳＩＭカードに差し替えられると、ＵＥは、保持しているいずれかのオペレータの個別設定、例えば、取得してからの期間が最も長いオペレータの個別設定を削除し、新たなオペレータの個別設定を取得する。また、過去に取得したオペレータの個別設定を保存する場合においては、保存期間を設ける構成とすることもできる。この場合、当該オペレータのＳＩＭカードが抜かれてから、再度、当該オペレータのＳＩＭカードが挿入されることなく保存期間が経過すると、当該オペレータの個別設定を削除する。
【００１９】
続いて、ＵＥにオペレータ＃ＣのＳＩＭカードが装着された場合の動作について説明する。この場合、ＵＥは、移動通信ネットワーク＃Ｃにアクセスし、移動通信ネットワーク＃ＣのＤＮＳに共通ＵＲＬのドメイン名に対応するＩＰアドレスを問い合わせる。しかしながら、移動通信ネットワーク＃ＣのＤＮＳには、共通ＵＲＬのドメイン名に対するエントリがない。この場合、移動通信ネットワーク＃ＣのＤＮＳは、上位のＤＮＳに問い合わせてＵＥにＩＰアドレスを通知するか、上位のＤＮＳに直接問い合わせる様にＵＥに指示する。いずれにしても、最終的には、インターネット上のＤＮＳに問い合わせが行われることになり、よって、ＵＥは、エラーサーバのＩＰアドレスを取得する。エラーサーバは、ＵＥから共通ＵＲＬを使用してのアクセスがあるとＵＥに対して、現在ＵＥが接続しているネットワークは、共通ＵＲＬが使用できない旨のメッセージを送信する。この場合、ＵＥは、共通ＵＲＬの使用を無効とし、個別設定を取得することなく、出荷時の状態で動作する。なお、共通ＵＲＬの使用の無効設定は、他のオペレータのＳＩＭカードに差し替えられると、解除される。
【００２０】
本実施形態では、上述したエラーサーバを設置するが、これは、必須ではない。例えば、エラーサーバがない場合において、ＵＥが移動通信ネットワーク＃Ｃに接続すると、共通ＵＲＬに対する名前解決ができず、ＵＥは出荷時の状態で動作することになる。しかしながら、この場合、ＵＥは、移動通信ネットワーク＃Ｃのオペレータ＃Ｃがスキームに参加していないのか、移動通信ネットワーク＃ＣのＤＮＳにたまたま障害が発生していたのかを切り分けることができない。よって、ＵＥは、後の所定のタイミングで、再度、共通ＵＲＬによりアクセスを試みる必要がある。一方、エラーサーバを設けることで、ＵＥは、契約しているオペレータが共通ＵＲＬのスキームに参加していないとの明示的に通知を受けることができ、共通ＵＲＬを無効にすることができる。これにより、共通ＵＲＬへの不要なアクセスを抑えることができる。
【００２１】
以上、本実施形態によると、１つの共通ＵＲＬをＵＥに格納しておけばよく、オペレータ毎の個別設定のためにＵＥに予め格納するデータ量を削減することができる。
【００２２】
＜第二実施形態＞
続いて、第二実施形態について、第一実施形態との相違点を中心に説明する。第一実施形態では、１つの共通ＵＲＬのみを予めＵＥに格納していた。本実施形態では、スキーム内で、サービス毎の複数の共通ＵＲＬをあらかじめ決めて、これら複数の共通ＵＲＬを予めＵＥに格納しておく。図５（Ａ）は、サービスと共通ＵＲＬとの関係を示している。本例においては、アドレス帳同期設定確認に共通ＵＲＬ＃１を割り当て、アドレス帳同期に共通ＵＲＬ＃２を割り当て、アプリケーションのインストールに共通ＵＲＬ＃３を割り当て、契約情報確認に共通ＵＲＬ＃４を割り当て、ショートカットアイコンのダウンロートに共通ＵＲＬ＃５を割り当てている。ＵＥは、これら共通ＵＲＬ＃１〜＃５が格納された状態で出荷される。なお、共通ＵＲＬ＃１、＃３、＃５は、第一実施形態と同様に、ＳＩＭカードが最初に挿入されたときや、ＳＩＭカードが、異なるオペレータのものに差し替えられたときにＵＥが使用する。一方、共通ＵＲＬ＃２は、後述する様に、共通ＵＲＬ＃１によるアクセスの結果に応じて使用される。さらに、共通ＵＲＬ＃４は、予めＵＥに格納されているショートカットアイコン１０（図６）に対応付けられている。図６は、出荷時のＵＥの電源投入後のディスプレイにショートカットアイコン１０が表示されている状態を示している。このショートカットアイコン１０をタップすると、ＵＥは、ブラウザで共通ＵＲＬ＃４へのアクセスを試みる。
【００２３】
本実施形態において、スキームに参加しているオペレータは、予め決めた複数の共通ＵＲＬ（本例では５つ）に関する総てのサービスに対応する必要はない。本例において、オペレータ＃Ａは、共通ＵＲＬ＃３及び＃４に関するサービスに対応するが、共通ＵＲＬ＃１、＃２及び＃５に関するサービスに対応しないものとする。したがって、図５（Ｂ）に示す様に、ＤＮＳ＃Ａには、共通ＵＲＬ＃３及び＃４のドメイン名に対するエントリはあるが、共通ＵＲＬ＃１、＃２及び＃５のドメイン名に対するエントリはない。なお、図５（Ｂ）に示す様に、ＤＮＳ＃Ａは、共通ＵＲＬ＃３のドメイン名の問い合わせに対しては、サーバ＃Ａ３のＩＰアドレスを返し、共通ＵＲＬ＃４のドメイン名の問い合わせに対しては、サーバ＃Ａ４のＩＰアドレスを返す様に構成される。また、本例において、オペレータ＃Ｂは、共通ＵＲＬ＃１、＃２及び＃５に関するサービスのみに対応するものとする。なお、図５（Ｃ）に示す様に、ＤＮＳ＃Ｂは、共通ＵＲＬ＃１、＃２及び＃５それぞれのドメイン名の問い合わせに対して、サーバ＃Ｂ１、＃Ｂ２及び＃Ｂ５のＩＰアドレスを返す様に構成される。したがって、図４に示す様に、本実施形態において、移動通信ネットワーク＃Ａは、ＤＳＮ＃Ａと、サーバ＃Ａ３及びＡ４と、を有し、移動通信ネットワーク＃Ｂは、ＤＳＮ＃Ｂと、サーバ＃Ｂ１、＃Ｂ２及びサーバ＃Ｂ５と、を有する。
【００２４】
図７は、本実施形態において、ＵＥにオペレータ＃ＡのＳＩＭカードを装着した際にＵＥが実行する処理の信号図である。ＳＩＭカードの装着により、ＵＥは、移動通信ネットワーク＃Ａに接続する。ＵＥは、Ｓ３０で、共通ＵＲＬ＃１のドメイン名のＩＰアドレスを、移動通信ネットワーク＃ＡのＤＮＳ＃Ａに問い合わせる。上述した様に、ＤＮＳ＃Ａには、共通ＵＲＬ＃１のエントリがない。したがって、ＵＥは、エラーサーバにアクセスし、Ｓ３１で、エラーサーバから共通ＵＲＬ＃１に対応していない旨のメッセージ（以下、エラーメッセージと呼ぶ）を取得する。この場合、ＵＥは、共通ＵＲＬ＃１を無効にし、Ｓ３２で、アドレス帳同期設定をＯＦＦにする。続いて、ＵＥは、Ｓ３３で、共通ＵＲＬ＃３のドメイン名のＩＰアドレスを、ＤＮＳ＃Ａに問い合わせ、Ｓ３４で、その応答として、ＤＮＳ＃Ａからサーバ＃Ａ３のＩＰアドレスを受信する。ＵＥは、Ｓ３５で、当該ＩＰアドレスによりサーバ＃Ａ３にアクセスし、共通ＵＲＬ＃３のドメイン名以外の部分を含むメッセージをサーバ＃Ａ３に送信する。なお、本例では、このメッセージは、インスストールするアプリケーションを要求することを示すメッセージになる。サーバ＃Ａ３は、その応答として、Ｓ３６で、ＵＥにインストールするアプリケーションを送信する。
【００２５】
ＵＥは、Ｓ３７で、共通ＵＲＬ＃５のドメイン名のＩＰアドレスをＤＮＳ＃Ａに問い合わせるが、ＤＮＳ＃Ａには、共通ＵＲＬ＃５のエントリがないため、ＵＥは、Ｓ３８で、エラーサーバからエラーメッセージを取得する。これにより、ＵＥは、共通ＵＲＬ＃５を無効にする。続いて、ＵＥのユーザが、Ｓ３９で、ディスプレイに表示されたショートカットアイコン１０をタップすると、ＵＥは、Ｓ４０で、共通ＵＲＬ＃４のドメイン名のＩＰアドレスを、ＤＮＳ＃Ａに問い合わせ、Ｓ４１で、その応答として、ＤＮＳ＃Ａからサーバ＃Ａ４のＩＰアドレスを受信する。ＵＥは、Ｓ４２で、当該ＩＰアドレスによりサーバ＃Ａ４にアクセスし、共通ＵＲＬ＃４のドメイン名以外の部分を含むメッセージをサーバ＃Ａ４に送信する。本例において、このメッセージは、契約情報を要求するメッセージである。サーバ＃Ａ４は、Ｓ４２で受信したメッセージに応答して、Ｓ４３で、ＵＥに契約情報を送信する。
【００２６】
図８は、本実施形態において、ＵＥにオペレータ＃ＢのＳＩＭカードを装着した際にＵＥが実行する処理の信号図である。ＳＩＭカードの装着により、ＵＥは、移動通信ネットワーク＃Ｂに接続する。ＵＥは、Ｓ５０で、共通ＵＲＬ＃１のドメイン名のＩＰアドレスを、移動通信ネットワーク＃ＢのＤＮＳ＃Ｂに問い合わせ、Ｓ５１で、ＤＮＳ＃Ｂからサーバ＃Ｂ１のアドレスを取得する。その後、ＵＥは、Ｓ５２で、サーバ＃Ｂ１にアクセスし、Ｓ５３で、アドレス帳の同期設定を取得する。本例では、アドレス帳同期設定はＯＮであるものとする。この場合、ＵＥは、Ｓ５４で、ＵＥ内のアドレス帳同期設定をＯＮにする。ＵＥ内のアドレス帳同期設定がＯＮであると、ＵＥは、Ｓ５５で、共通ＵＲＬ＃２のドメイン名のＩＰアドレスをＤＮＳ＃Ｂに問い合わせ、Ｓ５６で、ＤＮＳ＃Ｂからサーバ＃Ｂ２のアドレスを取得する。その後、ＵＥは、Ｓ５７で、サーバ＃Ｂ２にアクセスしてアドレス帳の同期を行う。なお、Ｓ５５〜Ｓ５７の処理は、その後も、所定のタイミングで自動的に行われる。また、Ｓ５３で取得したアドレス帳同期設定がＯＦＦであると、ＵＥは、Ｓ５４で、アドレス帳同期設定をＯＦＦとする。この場合、Ｓ５５〜Ｓ５７の処理は実行されない。
【００２７】
続いて、ＵＥは、Ｓ５８で、共通ＵＲＬ＃３のドメイン名のＩＰアドレスをＤＮＳ＃Ｂに問い合わせるが、ＤＮＳ＃Ｂには、共通ＵＲＬ＃３のエントリがないため、ＵＥは、Ｓ５９で、エラーサーバからエラーメッセージを取得する。したがって、ＵＥは、共通ＵＲＬ＃３を無効にする。続いて、ＵＥは、Ｓ６０で、共通ＵＲＬ＃５のドメイン名のＩＰアドレスを、ＤＮＳ＃Ｂに問い合わせ、Ｓ６１で、その応答として、ＤＮＳ＃Ｂからサーバ＃Ｂ５のＩＰアドレスを受信する。ＵＥは、Ｓ６２で、当該ＩＰアドレスによりサーバ＃Ｂ５にアクセスし、ショートカットアイコンを要求し、サーバ＃Ｂ５は、Ｓ６３で、ショートカットアイコンをＵＥに送信する。続いて、ＵＥのユーザが、Ｓ６４で、ディスプレイに表示されたショートカットアイコン１０をタップすると、ＵＥは、Ｓ６５で、共通ＵＲＬ＃４のドメイン名のＩＰアドレスをＤＮＳ＃Ｂに問い合わせる。しかしながら、ＤＮＳ＃Ｂには、共通ＵＲＬ＃４のエントリがないため、ＵＥは、Ｓ６６で、エラーサーバからエラーメッセージを取得する。したがって、ＵＥは、Ｓ６７で、共通ＵＲＬ＃４を無効にし、かつ、ショートカットアイコン１０を無効にして、ディスプレイに表示しない様にする。なお、オペレータ＃Ｂは、Ｓ６３でＵＥに送信するショートカットアイコンに、契約情報を確認するためのショートカットアイコンを含めることができる。これにより、オペレータ＃Ｂは、ＵＥに予め格納されているショートカットアイコン１０ではなく、オペレータ＃Ｂが作成したショートカットアイコンを契約情報提供サービスのためにＵＥに使用させることができる。
【００２８】
以上、本実施形態によると、所定数の共通ＵＲＬをＵＥに格納しておけばよく、オペレータ毎の個別設定のためにＵＥに予め格納するデータ量を削減することができる。なお、オペレータ毎の個別設定の削除の考え方は第一実施形態と同様である。つまり、図７及び図８の処理は、個別設定を保持していないオペレータのＳＩＭカードの装着により開始され、個別設定を保持しているオペレータのＳＩＭカードを装着した場合にはスキップされる。また、各共通ＵＲＬに対する無効設定も個別設定に含まれる。また、個別設定を保持していないオペレータのＳＩＭカードが装着されると、共通ＵＲＬに対する総ての無効設定をＵＥは解除する。また、本実施形態において、５つの共通ＵＲＬのうち、オペレータ＃Ａとオペレータ＃Ｂが使用する共通ＵＲＬは重複していなかったが、これは例示であり、一般的には重複する。ただし、各オペレータのＤＮＳは、同じ共通ＵＲＬのドメイン名に対する名前解決要求に対して異なるサーバのＩＰアドレスを返す様に構成される。さらに、本実施形態において、各オペレータは、未使用の共通ＵＲＬのドメイン名に対する名前解決要求に対して、エラーサーバのＩＰアドレスを返す様に構成することもできる。
【００２９】
＜第三実施形態＞
続いて、第三実施形態について、第二実施形態との相違点を中心に説明する。第二実施形態において、ＵＥは、オペレータ側で使用していない共通ＵＲＬであっても、ＳＩＭカード挿入時、或いは、ユーザ操作に応じて、これら未使用の共通ＵＲＬへのアクセスを試みていた。本実施形態では、オペレータ側で使用している共通ＵＲＬを確認するためにアクセスする共通ＵＲＬを設ける。図９（Ａ）は、サービスと共通ＵＲＬとの関係を示している。図９（Ａ）の＃１〜＃５のサービスは、第二実施形態と同様である。本実施形態では、＃６のサービスとして、使用可能共通ＵＲＬ確認を設け、これに、共通ＵＲＬ＃６を割り当てる。図９（Ｂ）及び図９（Ｃ）は、それぞれ、ＤＮＳ＃Ａ及びＤＮＳ＃Ｂの設定内容を示している。オペレータ＃Ａは、第二実施形態と同様に、共通ＵＲＬ＃３及び＃４を使用し、オペレータ＃Ｂは、第二実施形態と同様に、共通ＵＲＬ＃１、＃２、＃５を使用している。スキームに参加しているオペレータは、使用可能共通ＵＲＬ確認に対応する共通ＵＲＬ＃６については、必ずＵＥに対してＩＰアドレスを返す様にＤＮＳを構成する。図９（Ｂ）及び図９（Ｃ）に示す様に、オペレータ＃Ａは、共通ＵＲＬ＃６に対してサーバ＃Ａ６のアドレスを返し、オペレータ＃Ｂは、共通ＵＲＬ＃６に対してサーバ＃Ｂ６のアドレスを返す様にＤＮＳを構成している。
【００３０】
図１０は、本実施形態において、ＵＥにオペレータ＃ＡのＳＩＭカードを装着した際にＵＥが実行する処理の信号図である。ＳＩＭカードの装着により、ＵＥは、移動通信ネットワーク＃Ａに接続する。ＵＥは、Ｓ７０で、共通ＵＲＬ＃６のドメイン名のＩＰアドレスを、移動通信ネットワーク＃ＡのＤＮＳ＃Ａに問い合わせ、Ｓ７１で、ＤＮＳ＃Ａは、サーバ＃Ａ６のアドレスをＵＥに送信する。ＵＥは、Ｓ７２で、サーバ＃Ａ６に使用可能な共通ＵＲＬを問い合わせ、サーバ＃Ａ６は、Ｓ７３で、共通ＵＲＬ＃３及び＃４が使用可能であることをＵＥに通知する。したがって、ＵＥは、Ｓ７４で、共通ＵＲＬ＃１、＃２及び＃５を無効に設定する。以後、ＵＥは、使用可能な共通ＵＲＬ＃３によりサーバ＃Ａ３からアプリケーションを取得する。また、ショートカットアイコン１０のタップによりサーバ＃Ａ４から契約情報を取得する。ＵＥにオペレータ＃ＢのＳＩＭカードを装着した際にＵＥが実行する処理も同様であり、その説明は省略する。
【００３１】
以上、本実施形態において、ＵＥは、格納されている複数の共通ＵＲＬのうち、使用するオペレータの移動通信ネットワークで利用可能なものを判定でき、よって、オペレータで使用されていない共通ＵＲＬへの不要なアクセスを抑えることができる。
【００３２】
＜ＵＥの構成＞
図１１は、上記各実施形態によるＵＥの構成図である。格納部１３には、１つ以上の共通ＵＲＬが格納される。ここで、ＵＲＬは、コンテンツ又はサービスにアクセスするために使用するアクセス情報である。具体的には、共通ＵＲＬにアクセスすることで、ＵＥは、例えば、移動通信ネットワークがＵＥに提供するアプリケーション及び／又はショートカットアイコンを取得するためにアクセスするＵＲＬを取得することができる。また、共通ＵＲＬにアクセスすることで、ＵＥは、例えば、移動通信ネットワークがＵＥに提供するサービスにアクセスするためのＵＲＬを取得することができる。また、ＵＥは、例えば、共通ＵＲＬにアクセスして移動通信ネットワークがＵＥに提供するアプリケーション及び／又はショートカットアイコンを取得することができる。また、ＵＥは、例えば、共通ＵＲＬにアクセスして移動通信ネットワークがＵＥに提供するサービスにアクセスすることができる。
【００３３】
ＳＩＭカード挿入部１０にはＳＩＭカードが挿入され、特定部１１は、ＳＩＭカード挿入部１０に挿入されたＳＩＭカードに基づきオペレータを特定する。通信処理部１２は、移動通信ネットワークに接続する移動通信インタフェースを有する。通信処理部１２は、無線ローカルエリアネットワーク（無線ＬＡＮ）に接続する無線ＬＡＮインタフェースをさらに有するものであっても良い。通信処理部１２は、特定部１１が特定したオペレータの移動通信ネットワークに接続し、共通ＵＲＬを使用してアプリケーション等、特定部１１が特定したオペレータの移動通信ネットワークの個別設定を取得する取得処理を行い、取得した個別設定（ＵＲＬ、アプリケーション、ショートカットアイコン等）を格納部１３に格納する。なお、取得処理は、特定部１１が特定したオペレータの移動通信ネットワークの個別設定が格納部１３に格納されていない場合に実行する。また、無線ＬＡＮインタフェースを有する場合、通信処理部１２は、取得処理が完了するまで、無線ＬＡＮインタフェースの使用を禁止することができる。これは、無線ＬＡＮインタフェース経由で取得処理を実行すると、エラーサーバに接続されてしまうからである。なお、格納部１３に格納されている移動通信ネットワークの個別設定の削除の考え方は上述した通りである。
【００３４】
＜その他＞
なお、第二実施形態及び第三実施形態において、共通ＵＲＬとサーバとが１対１の関係としたが、１つのサーバを複数の共通ＵＲＬに対応させることもできる。また、上記各実施形態においては、ＳＩＭカードの装着によりＵＥは個別設定の取得を開始していたが、例えば、複数のオペレータとの契約情報を格納しているＳＩＭや、契約情報をダウンロードして格納できるＳＩＭの場合には、ユーザがＵＥを操作して使用するオペレータを変更した場合に、個別設定の取得の要否が判定され、必要に応じて個別設定の取得が開始される。
【００３５】
また、本発明によるＵＥは、コンピュータを上記ＵＥとして動作させるプログラムにより実現することができる。これらコンピュータプログラムは、ＵＥの１つ以上のプロセッサで実行されると、当該ＵＥを上記ＵＥとして動作させる様に構成されている。また、コンピュータプログラムは、コンピュータが読み取り可能な記憶媒体に記憶されて、又は、ネットワーク経由で配布が可能なものである。
【符号の説明】
【００３６】
１１：特定部、１２：通信処理部、１３：格納部
【図１】
2019134355.tif 000003
【図２】
2019134355.tif 000004
【図３】
2019134355.tif 000005
【図４】
2019134355.tif 000006
【図５】
2019134355.tif 000007
【図６】
2019134355.tif 000008
【図７】
2019134355.tif 000009
【図８】
2019134355.tif 000010
【図９】
2019134355.tif 000011
【図１０】
2019134355.tif 000012
【図１１】
2019134355.tif 000013